【事件の表示】
　特願２０１５−　７６０４６「ＲＦＩＤリーダに適用可能なアレイアンテナシステムおよびアルゴリズム」拒絶査定不服審判事件〔平成２７年　９月１０日出願公開、特開２０１５−１６４３１８〕について、次のとおり審決する。
【結　論】
　本件審判の請求は、成り立たない。
【理　由】
第１　手続の経緯
　本願は，２００９年１月３０日（パリ条約による優先権主張外国庁受理　２００８年１月３０日　米国）を国際出願日とする出願である特願２０１０−５４５２２３号の一部を，平成２７年４月２日に新たな特許出願としたものであって，その手続の経緯は以下のとおりである。
　平成２８年　４月２７日付け：拒絶理由通知書
　平成２８年１１月１０日　　：意見書，手続補正書の提出
　平成２９年　３月１０日付け：拒絶理由通知書
　平成２９年　９月１４日　　：意見書の提出
　平成２９年１０月３０日付け：拒絶査定
　平成３０年　３月　７日　　：拒絶査定不服審判の請求，手続補正書の提出
　平成３１年　２月　７日付け：拒絶理由通知書
　令和　元年　８月１３日　　：意見書，手続補正書の提出
第２　本願発明
　令和元年８月１３日に提出された手続補正書により補正された特許請求の範囲の請求項１に係る発明（以下「本願発明」という。）は，次のとおりのものである（下線は請求人による。）。
　「入力ＲＦ信号を受信するよう構成されたＲＦ入力ポートであって，前記入力ＲＦ信号は少なくとも１つのＲＦＩＤタグを読み取るのに適している，ＲＦ入力ポートと，
　複数のアンテナであって，前記複数のアンテナの各々は，アンテナ入力信号が入力されたときに，被励起媒質内で前記複数のアンテナの各々がＲＦ場を生成するように構成され，前記複数のアンテナのうちの１つ又は複数のアンテナは，前記被励起媒質内の任意の場所でＲＦ場を生成するよう構成された，複数のアンテナと，
　対応する複数のアンテナ入力信号を前記入力ＲＦ信号から生成する手段であって，前記複数のアンテナ入力信号の各々のアンテナ入力信号は，前記少なくとも１つのＲＦＩＤタグを読み取るのに適しており，前記複数のアンテナ入力信号が同時に前記複数のアンテナに入力されるとき，対応する複数のＲＦ場が前記被励起媒質内で同時に生成される，手段と
　前記複数のＲＦ場を変化させることによって，前記複数のアンテナの状態を変更する状態コントローラであって，第１の期間中に第１の状態を生成し，第２の期間中に第２の状態を生成する，状態コントローラとを備え，
　前記状態コントローラは，
　前記複数のアンテナ入力信号のうち
の少
アンテナ入力信号の
　前記複数のアンテナ入力信号のうち
の少
アンテナ入力信号の
　前記複数のアンテナのうち
の少
アンテナの
　前記複数のアンテナのうち
の少
アンテナの
　のうち，１つまたは複数を変化させることによって，前記複数のＲＦ場を変化させ，
　前記複数のアンテナ入力信号はＮ個のアンテナ入力信号であり，前記複数のアンテナ入力信号の位相の変化には多くてもＮ−１個の自由度があり，前記複数のアンテナ入力信号のうち
の少
のアンテナ入力信号
第３　拒絶の理由
　当審が通知した平成３１年２月７日付けの拒絶理由（以下「当審拒絶理由」という。）のうちの理由１の概要は，次のとおりである。
　請求項１−６６に係る発明は，本願の出願前に日本国内又は外国において，頒布された又は電気通信回線を通じて公衆に利用可能となった引用文献１に記載された発明及び周知技術に基づいて，その出願前にその発明の属する技術の分野における通常の知識を有する者が容易に発明をすることができたものであるから，特許法２９条２項の規定により特許を受けることができない。
　１．特開２００７−１２９６８８号公報
　２．特開２００８−４２７５５号公報
　３．特開２００５−３２８３８２号公報
第４　引用文献の記載，引用発明，周知技術
　１　引用文献１の記載及び引用発明
（１）当審拒絶理由で引用された特開２００７−１２９６８８号公報（以下「引用文献１」という。）には，図面とともに，次の記載がある（下線は当審による。以下同様。）。
　ア　「【０００１】
　本発明は，データ読取装置，並びに位置特定システムに関し，より詳しくは，例えば
いわゆるＲＦＩＤタグ，無線ＩＣタグのような，無線によりデータを読み取り可能な記憶媒体からデータを読み出すためのデータ読取装置
　イ　「【００３５】
　図１は，データ読取装置の基本的構成の例を示す機能ブロック図である。
　
データ読取装置１は，リーダ／ライタ制御装置１０と，このリーダ／ライタ制御装置１０に接続されたリーダ／ライタ２０と，リーダ／ライタ２０に接続されたアンテナユニット３０とで構成される。
【００３６】
　リーダ／ライタ制御装置１０は，リーダ／ライタ２０に読み取り動作を実行する様命令し，また，リーダ／ライタ２０に無線ＩＣタグ４０から読み取ったデータを送信する様命令し，リーダ／ライタ２０から受け取ったデータを記憶し，所定の情報処理（例えば，在庫状況の一覧表示など）を行う機能を有する。リーダ／ライタ制御装置１０は，例えば，コンピュータや各種コントローラなどである。
【００３７】
　
リーダ／ライタ２０は，制御部２１と，制御部２１に接続された送受信部２２とを有ししている。制御部２１は，リーダ／ライタ制御装置１０からの命令を受け取り，これに応じて送受信部２２を駆動させ，
【００３８】
　
送受信部２２は，アンテナユニット３０を介して無線ＩＣタグ４０と無線により交信を行う機能を有する。送受信部２２は，変調部２３と復調部２４とを有している。変調部２３は，キャリア波を制御部２１から受け取った所定のコマンド，リクエスト，命令などの情報により所定の変調方式で変調して変調されたキャリア波（変調信号）を生成し，アンテナユニット３０に供給する。
【００３９】
　
アンテナユニット３０は，リーダ／ライタ２０，より詳しくは変調部２３から受け取った変調されたキャリア波を空中に放射し，電波を無線ＩＣタグ４０に向けて放射すると共に，無線ＩＣタグから放射された変調信号を受信し，この変調信号をリーダ／ライタ２０，より詳しくは復調部２４に供給する。
【００４０】
　
無線ＩＣタグ４０は，メモリ４１と，制御部４２と，送受信部４３と，アンテナ４４とを有している。
制御部４２は，リーダ／ライタ２０からのコマンド，リクエスト，命令などを解釈し，これに応答する動作を実行する。送受信部４３は，リーダ／ライタ２０と同様に変調部（図略），復調部（図略）を有しており，リーダ／ライタ２０と交信を行うために信号の変調／復調を行う。
　ウ　「【００４４】
　　［Ａ．２．デッドスポットの発生とその解消］
　次に，データ読取装置１を使用した場合に，環境条件によって生じうる，読取用電波の干渉により生ずる読取不可能若しくは困難な箇所／領域（以下，デッドスポットと呼ぶ）について説明する。
【００４５】
　
図４（Ａ）は，ある閉鎖された空間（例えば倉庫やビルの一室）４００にリーダ／ライタ２０及びアンテナユニット３０が配置された場合の電界パターン及びデッドスポットを示す図である。リーダ／ライタ２０から変調されたキャリア波の供給を受けたアンテナユニットは電波を空中に放出する。
【００４６】
　アンテナユニット３０から放出された電波は，様々な方向に向けて放出される。空間４００内のある位置Ｐには，アンテナユニット３０から直接到達する電波である直接波４０２Ａが到達すると共に，アンテナユニット３０から空間４００の壁に向かった別の直接波４０３Ａが壁によって反射されて生じた反射波４０４Ａも到達する。このとき，反射波４０４Ａは，十分な電界強度を有した状態で位置Ｐに到達する。そのため電波の波長と，直接波４０２Ａ及び反射波４０４Ａの進行距離の関係によっては，直接波４０２Ａ及び反射波４０４Ａが逆位相となり，互いに打ち消しあって位置Ｐ周辺にデッドスポット４０５Ａが発生する。
【００４７】
　一方，空間４００内の別の地点である位置Ｑにおいても，アンテナユニット３０から直接到達する電波である直接波４０２Ｂが位置Ｑに到達すると共に，アンテナユニット３０から空間４００の壁に向かった別の直接波４０３Ｂが壁によって反射されて生じた反射波４０４Ｂも位置Ｑに到達する。しかし，別の直接波４０３Ｂの電界強度は弱く，従ってその反射波４０４Ｂの電界強度も弱い状態となる。そのため，直接波４０２Ｂと反射波４０４Ｂが位置Ｑにおいて逆位相となっても，直接波４０２Ｂが打ち消されることはなく位置Ｑ周辺にデッドスポットは生じていない。
【００４８】
　なお，図４（Ａ）では，一カ所のみデッドスポット４０５Ａを図示したが，複数箇所でデッドスポットが発生しうる。かかるデッドスポット４０５Ａに無線ＩＣタグ４０が位置した場合には，その無線ＩＣタグ４０はリーダ／ライタ２０との交信ができず，その結果リーダ／ライタ２０はデッドスポット４０５内に位置する無線ＩＣタグ４０のデータの読み取りができない。」
　エ　「【００５１】
　
図４（Ｂ）は，図４（Ａ）の状態で生じたデッドスポット４０５Ａを解消するため，アンテナユニット３０の放射特性を変化させた状態を示す図である。アンテナユニット３０に搭載するアンテナは，リーダ／ライタ２０若しくはリーダ／ライタ制御装置１０の制御によりその放射特性を可変できるアンテナ，例えばフェイズドアレイ・アンテナとする。
【００５２】
　
図４（Ｂ）に示す例では，アンテナの放射特性を変化させたことにより，ビーム方向４０６及び電界パターン４０１が変えられた状態である。
【００５３】
　位置Ｐに置かれている無線ＩＣタグ４０は，図４（Ａ）の状態においては読み取り不可能であるが，アンテナユニットの放射特性を変更し，図４（Ｂ）の状態になった後は，読み取り可能となる。
【００５４】
　
本実施の形態にかかるデータ読取装置１は，例えば図４（Ａ），図４（Ｂ）ようにアンテナの放射特性を変更しながら無線ＩＣタグ４０の読み取り処理を行うことにより，デッドスポット４０５における読み取り不可能状態を回避しつつ，無線ＩＣタグ４０の読み取り処理を行うことができる。
　オ　図１
　カ　図４
（２）上記（１）の記載について，以下のことがいえる。
　ア　段落【０００１】，【００３５】によれば，データ読取装置１は，ＲＦＩＤタグ，無線ＩＣタグのような，無線によりデータを読み取り可能な記憶媒体からデータを読み出すためのものであり，リーダ／ライタ制御装置１０と，リーダ／ライタ２０と，アンテナユニット３０とで構成されている。
　イ　段落【００３７】によれば，リーダ／ライタ２０は，制御部２１と送受信部２２とを有しており，制御部２１はリーダ／ライタ制御装置１０からの命令を受け取って送受信部２２を駆動させるものである。
　そして，段落【００３８】によれば，送受信部２２は変調部２３を有し，変調部２３は，制御部２１から受け取った所定のコマンド，リクエスト，命令などの情報により，キャリア波を所定の変調方式で変調して，変調されたキャリア波（変調信号）を生成するものである。
　そうすると，「リーダ／ライタ２０」は，「所定のコマンド，リクエスト，命令などの情報により，キャリア波を所定の変調方式で変調して，変調されたキャリア波（変調信号）を生成」しているといえる。
　ウ　段落【００５１】によれば，アンテナユニット３０に搭載するアンテナはその放射特性を可変できるフェイズドアレイ・アンテナである。
　そして，段落【００３９】によれば，アンテナユニット３０は，リーダ／ライタ２０から受け取った変調されたキャリア波を空中に放射し，電波を無線ＩＣタグ４０に向けて放射すると共に，無線ＩＣタグから放射された変調信号を受信し，この変調信号をリーダ／ライタ２０に供給するものである。
　ここで，段落【００４０】によれば，無線ＩＣタグ４０の制御部４２は，リーダ／ライタ２０からのコマンド，リクエスト，命令などを解釈し，これに応答する動作を実行するものである。
　上記によれば，「アンテナユニット３０」である「フェイズドアレイ・アンテナ」は，「リーダ／ライタ２０から受け取った変調されたキャリア波を空中に放射し，電波を無線ＩＣタグ４０に向けて放射すると共に，リーダ／ライタ２０からのコマンド，リクエスト，命令などを解釈し，これに応答する動作を実行する無線ＩＣタグ４０から放射された変調信号を受信し，この変調信号をリーダ／ライタ２０に供給」しているといえる。
　エ　段落【００５４】によれば，データ読取装置１が，アンテナの放射特性を変更しながら，無線ＩＣタグ４０の読み取り処理を行うことで，デッドスポット４０５における読み取り不可能状態を回避しつつ，読取処理を行うことができる。
　ここで，段落【００５１】によれば，アンテナユニット３０に搭載するアンテナは，リーダ／ライタ制御装置１０の制御によりその放射特性を可変できるのだから，「アンテナユニット３０の放射特性を可変」するのは「リーダ／ライタ制御装置１０」であって，上記ウのとおり，「アンテナユニット３０」は，「フェイズドアレイ・アンテナ」である。
　つまり，「データ読取装置１のリーダ／ライタ制御装置１０」は「デッドスポット４０５における読み取り不可能状態を回避しつつ，読取処理を行うことができる」ように，「フェイズドアレイ・アンテナの放射特性を変更しながら無線ＩＣタグ４０の読み取り処理を行う」ものであるといえる。
（３）上記（１）及び（２）から，引用文献１には次の発明（以下「引用発明」という。）が記載されていると認められる。
　「ＲＦＩＤタグ，無線ＩＣタグのような，無線によりデータを読み取り可能な記憶媒体からデータを読み出すためのデータ読取装置であって，
　所定のコマンド，リクエスト，命令などの情報により，キャリア波を所定の変調方式で変調して，変調されたキャリア波（変調信号）を生成するリーダ／ライタと，
　リーダ／ライタから受け取った変調されたキャリア波を空中に放射し，電波を無線ＩＣタグに向けて放射すると共に，リーダ／ライタからのコマンド，リクエスト，命令などを解釈して，これに応答する動作を実行する無線ＩＣタグから放射された変調信号を受信し，この変調信号をリーダ／ライタに供給するフェイズドアレイ・アンテナと，
　デッドスポットにおける読み取り不可能状態を回避しつつ，読み取り処理を行うことができるように，アンテナの放射特性を変更しながら無線ＩＣタグの読み取り処理を行うリーダ／ライタ制御装置と，を備えるデータ読取装置。」
　２　周知技術
（１）当審拒絶理由で引用された特開２００８−４２７５５号公報（以下「周知文献１」という。）には，次の記載がある。
　「【００３５】
　図５は図２に示したアンテナ装置１０の具体的な構成を示す回路図である。
２つの素子アンテナ１１ａ，１１ｂは図２に示したアンテナ１を構成している。
【００３６】
　
上記移相回路２１は，線路ＬａまたはＬｂを伝搬する信号に位相差を持たせて素子アンテナ１１ａ，１１ｂに給電するもので，例えば９０度ハイブリッド回路などで構成される。すなわち，スイッチ２２が例えば線路Ｌａ側を選択している時，移相回路２１の作用により，素子アンテナ１１ａへの信号に比べて素子アンテナ１１ｂに対する信号の位相が一定量遅れて，アンテナの指向性はビームＢａで示す方向を向く。
Ｌｂ側を選択している時，移相回路２１の作用により，素子アンテナ１１ｂへの信号に比べて素子アンテナ１１ａに対する信号の位相が一定量遅れて，アンテナの指向性はビームＢｂで示す方向を向く。」
（２）上記（１）の段落【００３６】によれば，素子アンテナ１１ａへの信号に比べて素子アンテナ１１ｂに対する位相が一定量遅れると，アンテナの指向性はビームＢａで示す方向を向き，素子アンテナ１１ｂへの信号に比べて素子アンテナ１１ａに対する信号の位相が一定量遅れると，アンテナの指向性はビームＢｂで示す方向を向くのであって，段落【００３５】によれば，２つの素子アンテナ１１ａ，１１ｂはアンテナ１を構成している。
　つまり，「アンテナを構成する２つの素子アンテナのうち，どちらの素子アンテナの位相を他方の素子アンテナの位相に対して遅らせるかにより，アンテナの指向性を変更すること」が周知文献１に記載されている。
（３）平成１６年７月２８日に発行された特許第３５４７５６８号公報（以下「周知文献２」という。）には，次の記載がある。
　ア　「【００１３】
【発明の実施の形態】
以下，図面を参照して本発明の実施例の形態について説明する。
図１にこの発明の実施の形態の第１の例を示す。同図は，細幅の金属板の前後に放射素子群として４素子のダイポールアレーを配置し
数字符号１−１は第１のダイポールアレー
【００１４】
金属板の幅は一般的には使用周波数の波長以下であり，後述する図２の特性の計算では０．２波長としている。また，金属板の長さは，第１の放射素子群の放射素子と第２の放射素子群の放射素子と直接の結合が遮られる程度であれば良い。図右上方に示す座標のθ，φなどの表示は図２と対応しており，また，矢印を付した線で示す○Ｐは観測点の方向を示すベクトルを表わしている。これは後述する図４についても同様である。
【００１５】
図１において，第１のダイポールアレー１−１及び第２のダイポールアレー１−２の各々の給電分配回路で作られる第ｎ番目の放射素子（１≦ｎ≦Ｎ）の給電位相ψ１ｎ及びψ２ｎを，各々ψ１ｎ＝−ψｏ （ｎ−１），ψ２ｎ＝ψｏ （ｎ−１）で与える。ここで，ψｏ は隣接素子間の遅れ位相差であり，素子番号（Ｎ０１〜Ｎ０４）は上から下へ順に付けている。
【００１６】
位相回路１−６において，第２のダイポールアレーに対する第１のダイポールアレーの相対遅れ位相量をαとする。この位相回路１−６を用いたとき，実際に，第１及び第２のダイポールアレーの第ｎ番目の放射素子に給電される遅れ位相は，各々α−ψｏ （ｎ−１），ψｏ （ｎ−１）となる。
また，
図１に示した無線基地局アンテナにおいて，素子数Ｎ，隣接素子間の位相差ψｏ 及び，素子間隔の値を変化させることによって，垂直面内の主ビーム方向を任意の方向へ向けることが可能となる。
　イ　図１
（４）上記（３）の段落【００１６】によれば，アンテナは，素子数，隣接素子間の位相差，及び素子間隔の値を変更させることによって，垂直面内の主ビーム方向を任意の方向へ向けることが可能であって，段落【００１３】及び【図１】によれば，４素子のダイポールアレーは，垂直方向に配置されている。
　つまり，「アンテナを構成する垂直方向に配置されている４つの素子の隣接素子間の位相差を変更させることにより，垂直面内の主ビーム方向を任意の方向へ向けることが可能であって，ダイポールアレーの第ｎ番目の放射素子の給電位相は−ψｏ （ｎ−１）である」ことが，周知文献２に記載されている。
（５）特開昭５７−１５４９０５号公報（以下「周知文献３」という。）には，次の記載がある。
　「第１図は，電子制御アンテナの動作原理を示す図であり，
図示していない移相器を内蔵した多数のアンテナ素子（ｌ１）（ｌ２）・・・（ｌｎ）が等間隔で一列に配列されている。これらの移相器の位相をすべて同一，たとえば零度に設定すると，アンテナ・アレイの正面方向にアンテナ・メイン・ビームが形成される。ここで，アンテナ・メイン・ビームを正面方向から角度θだけ傾いた方向に形成しようとすると，アンテナ素子（ｌ１）内蔵の移相器の位相を基準としたｋ番目のアンテナ素子（ｌｋ）内蔵の移相器の相対位相Ψｋは
　・・・（中略）・・・
　
Ψｋ＝（２π／λ）（ｋ−１）ｄｓｉｎθ　　　(1)
となり，２番のアンテナ素子（ｌ２）内蔵の移相器の相対位相Ψｚは，第（１）式でｋ＝ｚとおいて与えられる。
　Ψｚ＝（２π／λ）ｄｓｉｎθ　　　(2)」（２頁左上欄１３行〜左下欄１行）
　なお，２頁右上欄１９行の「Ψｚ」，「ｋ＝ｚ」は，それぞれ「Ψ２」，「ｋ＝２」の誤記であり，同左下欄１行の「Ψｚ」も「Ψ２」の誤記であると認められる。
（６）上記（５）の記載によれば，「移相器を内蔵した多数のアンテナ素子が等間隔で配列されている電子制御アンテナにおいて，移相器の位相をすべて同一とすると，アンテナ・アレイの正面方向にビームが形成され，正面方向から角度θだけ傾いた方向に形成しようとすると，ｋ番目のアンテナ素子内蔵の移相器の位相ψｋが（２π／λ）（ｋ−１）ｄｓｉｎθである」ことが，周知文献３に記載されている。
（７）郵政省通信総合研究所編，丸善株式会社，平成１０年７月３０日発行の「通信の百科事典−通信・放送・郵便のすべて−」７０頁に記載されるように，複数のアンテナ素子で構成されるアンテナを「アレーアンテナ」と呼ぶこと，アレーアンテナの各素子の位相を変化させることでビームの方向を変えることができるアンテナを「フェーズドアレーアンテナ」と呼ぶこと，はいずれも技術常識であり，また，同５７８頁に記載されるように，フェーズドアレーアンテナは，１つの入力信号を各アンテナ素子に対応した移相器により位相を変化させて各アンテナ素子から電波を放射することで，ビームの方向を変えることができること，も技術常識である。
（８）上記（４）によれば，周知文献２においてダイポールアレーの第ｎ番目の放射素子の給電位相は−ψｏ （ｎ−１）であるから，１番目の放射素子の給電位相は，隣接素子間の遅れ位相差に関わらず常に０であることが自明である。
　また，上記（６）によれば，周知文献３においてｋ番目のアンテナ素子内蔵の移相器の位相ψｋが（２π／λ）（ｋ−１）ｄｓｉｎθであるから，１番目の移相器の位相は角度θにかかわらず０であることが自明である。
　つまり，フェーズドアレーアンテナのビーム方向を変えるに当たって「１番目のアンテナ素子の位相を０として，２番目以降のアンテナ素子に入力される入力信号の位相を制御する」ことは周知技術であり，Ｎ個のアンテナ素子を有するフェーズドアレーアンテナにおいて，１番目を除くＮ−１個のアンテナ入力信号の位相を制御することは，「Ｎ個のアンテナ入力信号の位相の変化には，多くてもＮ−１個の自由度がある」ことに他ならない。
　上記によれば，「フェーズドアレーアンテナは，複数Ｎ個のアンテナ素子にそれぞれ同時にアンテナ入力信号が入力され，Ｎ個のアンテナ入力信号のうちのＮ−１個のアンテナ入力信号の位相を変化させることによって，Ｎ個の電波を変化させるものであり，Ｎ個のアンテナ素子のそれぞれのアンテナ入力信号の位相の変化にＮ−１個の自由度があること」は，周知技術である。
第５　対比・判断
　１　対比
　本願発明と引用発明とを対比する。
（１）本願発明の「ＲＦＩＤタグ」と，引用発明の「無線ＩＣタグ」とは，「タグ」という点で一致する。
（２）引用発明は，「フェイズドアレイ・アンテナ」が，「リーダ／ライタ」から「変調されたキャリア波」を受け取る，すなわち受信することが可能なように，「フェイズドアレイ・アンテナ」と「リーダ／ライタ」との接続点から「変調されたキャリア波」が「フェイズドアレイ・アンテナ」に入力されることが明らかである。また，引用発明では「フェイズドアレイ・アンテナ」が「変調されたキャリア波を空中に放射し，電波を無線ＩＣタグに向けて放射する」ことが行われる。
　ここで，「ＲＦ」とは，「無線周波数」であって，「通信に有用である可干渉性の電磁放射の周波数」（マグローヒル科学技術用語大辞典第２版，日刊工業新聞社，昭和５４年３月２０日発行）であるから，引用発明の「変調されたキャリア波」はＲＦの信号であるといえる。
　したがって，引用発明の「フェイズドアレイ・アンテナ」に入力される「変調されたキャリア波」は，本願発明の「入力ＲＦ信号」に相当する。また，上記接続点を「ＲＦ入力ポート」と称することは任意である。
（３）引用発明の「フェイズドアレイ・アンテナ」は，上記第４の２（７）で述べた，複数のアンテナ素子で構成されるアンテナを「アレーアンテナ」と呼び，アレーアンテナの各素子の位相を変化させることでビームの方向を変えることができるアンテナを「フェーズドアレーアンテナ」と呼ぶ，との技術常識に照らすと，複数のアンテナ素子で構成されるものであり，「変調されたキャリア波」を「空中に放射」するとともに，各アンテナ素子に入力される入力信号の位相を変化させることによって，ビームの方向，すなわち「アンテナの放射特性を変更」することが可能なものである。
　一方，本願発明は，「被励起媒質内で前記複数のアンテナの各々がＲＦ場を生成する」ものである。
　ここで，「場」とは，「空間の各点ごとにある物理量Ａが与えられているとき，Ａの場が存在するといい，Ａを場の量という。力の場，速度の場，電磁場，重力場の類。」（広辞苑第６版，株式会社岩波書店）であるから，「ＲＦ場」とは，空間に通信に有用な電磁放射の周波数が与えられている状態であると解される。そして，本願発明では「複数のアンテナの各々」が「ＲＦ場」を生成するから，「ＲＦ場」は，「複数のアンテナの各々」すなわち複数のアンテナ素子の各々から電磁波が放射された状態であるといえる。
　また，「励起」とは，「外部からエネルギーを与えることにより，原子，分子などにより高いエネルギー準位へ遷移させること。」（電子通信用語辞典，社団法人電子情報通信学会編，コロナ社，昭和５９年１１月３０日発行）であるから，本願発明の「被励起媒質」とは，「エネルギーが与えられる媒質」，つまり「空間」である。
　上記によれば，本願発明において「被励起媒質内で前記複数のアンテナの各々がＲＦ場を生成する」とは，「空間に複数のアンテナ素子の各々が電磁波を放射する」ことを意味している。
　したがって，引用発明の「フェイズドアレイ・アンテナ」は，被励起媒質内の任意の場所でＲＦ場を生成する，複数のアンテナであって，それらの各々は，個々のアンテナに「変調されたキャリア波」に基づいた信号が入力されたとき，すなわちアンテナ入力信号が入力されたときに，被励起媒質内でＲＦ場を生成するといえる。
（４）上記（３）の個々のアンテナに入力されるそれぞれのアンテナ入力信号は，「リーダ／ライタ」から受け取った「変調されたキャリア波」から生成すべきことが明らかである。したがって，引用発明は，複数のアンテナに対応する複数のアンテナ入力信号を「変調されたキャリア波」から生成する手段を備えている。
（５）引用発明の「リーダ／ライタ」が生成する「変調されたキャリア波」は，「所定のコマンド」等によりキャリア波が変調されていることが明らかである。そして，引用発明では，「無線ＩＣタグ」が「リーダ／ライタからのコマンド」等を解釈して応答することで，「無線ＩＣタグの読み取り処理」が行われており，「変調されたキャリア波」が「無線ＩＣタグ」で受信されることが明らかであるから，「変調されたキャリア波」は，「無線ＩＣタグ」を読み取るのに適しているといえる。また，上記（４）のとおり，個々のアンテナに入力されるそれぞれのアンテナ入力信号は，「変調されたキャリア波」から生成されるから，複数のアンテナ入力信号の各々のアンテナ入力信号も，「無線ＩＣタグ」を読み取るのに適しているといえる。
（６）上記第４の２（７）で述べた，フェーズドアレーアンテナは，１つの入力信号を各アンテナ素子に対応した移相器により位相を変化させて各アンテナ素子から電波を放射することで，ビームの方向を変えることができる，との技術常識に照らすと，上記（４）の手段により生成される複数のアンテナに対応する複数のアンテナ入力信号は，同時に前記複数のアンテナに入力されることが明らかである。そうすると，引用発明の「フェイズドアレイ・アンテナ」において上記（３）の被励起媒質内で生成されるＲＦ場も，複数のアンテナのそれぞれに対応して，複数のＲＦ場が同時に生成されるものである。
（７）引用発明において，「アンテナの放射特性」における「アンテナ」は「フェイズドアレイ・アンテナ」を指しているから，「アンテナの放射特性を変更」するとは，「フェイズドアレイ・アンテナの複数のアンテナ素子の状態を時間的に変更する」ことであるといえる。また，「リーダ／ライタ制御装置」が「アンテナの放射特性を変更」することが，上記（６）の複数のＲＦ場を変化させることによって行われることは明らかである。
　そうすると，引用発明の「アンテナの放射特性を変更しながら無線ＩＣタグの読み取り処理を行うリーダ／ライタ制御装置」は，本願発明の「前記複数のＲＦ場を変化させることによって，前記複数のアンテナの状態を変更する状態コントローラであって，第１の期間中に第１の状態を生成し，第２の期間中に第２の状態を生成する，状態コントローラ」に相当する。
（８）上記（６）の技術常識に照らすと，上記（７）の複数のＲＦ場を変化させることが，上記（４）の複数のアンテナ入力信号のうちの少なくとも１つの位相を変化させることによって行われることは明らかである。
（９）引用発明の「データ読取装置」は，「フェイズドアレイ・アンテナ」，「リーダ／ライタ制御装置」を備えるシステムであるから，アンテナシステムであるといえる。
（１０）以上のことから，本願発明と引用発明とは，
　（一致点）「入力ＲＦ信号を受信するよう構成されたＲＦ入力ポートであって，前記入力ＲＦ信号は少なくとも１つのタグを読み取るのに適している，ＲＦ入力ポートと，
　複数のアンテナであって，前記複数のアンテナの各々は，アンテナ入力信号が入力されたときに，被励起媒質内で前記複数のアンテナの各々がＲＦ場を生成するように構成され，前記複数のアンテナのうちの１つ又は複数のアンテナは，前記被励起媒質内の任意の場所でＲＦ場を生成するよう構成された，複数のアンテナと，
　対応する複数のアンテナ入力信号を前記入力ＲＦ信号から生成する手段であって，前記複数のアンテナ入力信号の各々のアンテナ入力信号は，前記少なくとも１つのタグを読み取るのに適しており，前記複数のアンテナ入力信号が同時に前記複数のアンテナに入力されるとき，対応する複数のＲＦ場が前記被励起媒質内で同時に生成される，手段と
　前記複数のＲＦ場を変化させることによって，前記複数のアンテナの状態を変更する状態コントローラであって，第１の期間中に第１の状態を生成し，第２の期間中に第２の状態を生成する，状態コントローラとを備え，
　前記状態コントローラは，
　前記複数のアンテナ入力信号のうちの少なくとも１つのアンテナ入力信号の位相
　を変化させることによって，前記複数のＲＦ場を変化させる，
アンテナシステム。」
という点で一致する。
（１１）また，両者は以下の点で相違する。
　（相違点１）「タグ」が，本願発明では，「ＲＦＩＤタグ」であるのに対し，引用発明では「無線ＩＣタグ」である点。
　（相違点２）本願発明では，「複数のアンテナ入力信号」に関して，「前記複数のアンテナ入力信号はＮ個のアンテナ入力信号であり，前記複数のアンテナ入力信号の位相の変化には多くてもＮ−１個の自由度があり，前記複数のアンテナ入力信号のうちの少なくとも１つのアンテナ入力信号は，Ｍ個のアンテナ入力信号であり，Ｍ＜Ｎである」と特定されるのに対し，引用発明では，「フェイズドアレイ・アンテナ」に入力される複数のアンテナの入力信号に関する個数の特定がない点。
　２　判断
（１）まず，相違点１について検討する。
　引用発明は，「ＲＦＩＤタグ，無線ＩＣタグのような，無線によりデータを読み取り可能な記憶媒体からデータを読み出すためのデータ読取装置」であるから，引用発明において，「無線ＩＣタグ」に代えて，これと同じく「無線によりデータを読み取り可能な記憶媒体」である，「ＲＦＩＤタグ」とすることは，当業者が容易に想到し得ることである。
（２）次に，相違点２について検討する。
　上記第４の２（８）のとおり，「フェーズドアレーアンテナは，複数Ｎ個のアンテナ素子にそれぞれ同時にアンテナ入力信号が入力され，Ｎ個のアンテナ入力信号のうちのＮ−１個のアンテナ入力信号の位相を変化させることによって，Ｎ個の電波を変化させるものであり，Ｎ個のアンテナ素子のそれぞれのアンテナ入力信号の位相の変化にＮ−１個の自由度があること」は周知技術であり，引用発明において，「リーダ／ライタ制御装置」が，「デッドスポットにおける読み取り不可能状態を回避しつつ，読み取り処理を行うことができるように，アンテナの放射特性を変更しながら無線ＩＣタグの読み取り処理を行う」ことを，当該周知技術に基づき，「フェイズドアレイ・アンテナ」に含まれるアンテナ素子の個数をＮとして，Ｎ個のアンテナ入力信号のうちのＮ−１個のアンテナ入力信号の位相を変化させることによってＮ個のＲＦ場を変化させ，Ｎ個のアンテナのそれぞれのアンテナ入力信号の位相の変化にＮ−１個の自由度があるものとすることは，当業者が容易に想到し得ることである。ここで，Ｎ−１＜Ｎが成り立つところ，この大小関係は本願発明の「Ｍ＜Ｎ」に含まれる。
（３）そして，本願発明の作用効果は，引用発明及び周知技術から当業者が予測できる程度のものである。
　３　請求人の主張について
　請求人は，令和元年８月１３日に提出された意見書において，引用文献１では，ＲＦＩＤタグに一度に１つのＲＦ信号しか入力されないから，引用文献１に開示されているものは「フェイズドアレイ・アンテナ」ではない旨主張するとともに，引用文献１の図１１の各アンテナ（３０Ａ１，３０Ａ２，３０Ａ３，３０Ａ４）は，各々で駆動することができるため，「フェイズドアレイ・アンテナ」ではない旨を述べている。
　しかしながら，引用文献１の「アンテナユニット３０に搭載するアンテナは，リーダ／ライタ２０若しくはリーダ／ライタ制御装置１０の制御によりその放射特性を可変できるアンテナ，例えばフェイズドアレイ・アンテナとする。」（段落【００５１】）との記載によれば，図１１の各アンテナ（３０Ａ１，３０Ａ２，３０Ａ３，３０Ａ４）は，それぞれ，フェイズドアレイ・アンテナであって，３０Ａ１〜３０Ａ４のそれぞれを各アンテナ素子とした３０Ａ１〜３０Ａ４の全体で，１つのフェイズドアレイ・アンテナが構成されるものではない。
第６　むすび
　以上のとおり，本願発明は，引用発明及び周知技術に基づいて当業者が容易に発明をすることができたものであり，特許法第２９条第２項の規定により特許を受けることができないから，他の請求項に係る発明について検討するまでもなく，本願は拒絶されるべきものである。
　よって，結論のとおり審決する。